(57)【特許請求の範囲】
【請求項１】
映像表示装置において、
ディスプレイ部と、
１以上のインストラクションを保存するメモリと、
前記メモリに保存された前記１以上のインストラクションを実行するプロセッサと、を含み、
前記プロセッサは、前記１以上のインストラクションを実行することにより、
前記映像表示装置の初期設定動作のうち少なくとも１つを遂行するのと同時に、対応する地域において利用可能な複数の周波数のうちから、信号が存在する１以上の第１有効周波数を特定する第１チャネル検索をバックグラウンド動作として行い、
放送信号の種類およびチャネルタイプのうち少なくとも１つを含むチャネル検索条件を獲得するために、前記初期設定動作のうち、チャネル検索条件設定動作を遂行し、
前記チャネル検索条件設定動作を介して獲得された前記チャネル検索条件に応答して、前記第１チャネル検索を介して特定された前記１以上の第１有効周波数のうちから、それぞれが前記獲得された前記チャネル検索条件を満たす第２有効周波数に対応している、少なくとも１つの有効チャネルを特定する第２チャネル検索を行い、
前記第２チャネル検索の結果を、前記ディスプレイ部に表示する映像表示装置。
【請求項２】
前記プロセッサは、前記１以上のインストラクションを実行することにより、
前記映像表示装置に設定された地域情報に対応する複数の周波数のうちから、信号が存在する前記１以上の第１有効周波数を特定する、ことを特徴とする請求項１に記載の映像表示装置。
【請求項３】
前記プロセッサは、前記１以上のインストラクションを実行することにより、
ケーブルデジタル放送に対応する周波数について、ＲＳＳＩを、前記信号の有無を判断する基準値として利用して、前記第１チャネル検索を行う、ことを特徴とする請求項２に記載の映像表示装置。
【請求項４】
前記プロセッサは、前記１以上のインストラクションを実行することにより、
前記第１チャネル検索中に前記地域情報が変更される場合に、変更された地域と変更される以前地域の放送標準情報及び周波数情報に基づいて、前記地域情報が変更される以前に前記第１チャネル検索によって特定された前記１以上の第１有効周波数を、前記第２チャネル検索のために利用するか否かを決定する、ことを特徴とする請求項２に記載の映像表示装置。
【請求項５】
前記プロセッサは、前記１以上のインストラクションを実行することにより、
前記第１チャネル検索中に、前記地域情報が変更される場合に、変更された地域に対応する複数の周波数のうちから、前記信号が存在する前記１以上の第１有効周波数を特定する、ことを特徴とする請求項２に記載の映像表示装置。
【請求項６】
前記プロセッサは、前記１以上のインストラクションを実行することにより、
前記初期設定動作の中で残っている初期設定動作を遂行するのと同時に、前記映像表示装置によって受信可能な前記少なくとも１つの有効チャネルを特定する、ことを特徴とする請求項１に記載の映像表示装置。
【請求項７】
前記プロセッサは、前記１以上のインストラクションを実行することにより、
前記第２チャネル検索が開始すると、前記第１チャネル検索を終了し、かつ、前記第１チャネル検索によって特定された、前記信号が存在する前記１以上の第１有効周波数を保存する、ことを特徴とする請求項６に記載の映像表示装置。
【請求項８】
前記プロセッサは、前記１以上のインストラクションを実行することにより、
前記残っている初期設定動作を遂行するのと同時に、前記チャネル検索条件に基づいて、前記第１チャネル検索が遂行されていないチャネルのうち、前記映像表示装置で受信可能な１以上の有効チャネルを特定する第３チャネル検索を、バックグラウンド動作として行う、ことを特徴とする請求項７に記載の映像表示装置。
【請求項９】
前記プロセッサは、前記１以上のインストラクションを実行することにより、
前記初期設定動作が遂行完了した以後、前記第２チャネル検索の結果を、前記ディスプレイ部に表示する、ことを特徴とする請求項１に記載の映像表示装置。
【請求項１０】
前記プロセッサは、前記１以上のインストラクションを実行することにより、
前記初期設定動作が遂行完了し、かつ、前記第２チャネル検索が完了していない場合、前記第２チャネル検索の進行程度を、前記ディスプレイ部に表示する、ことを特徴とする請求項１に記載の映像表示装置。
【請求項１１】
前記初期設定動作は、言語設定動作、ネットワーク設定動作、地域情報設定動作のうち少なくとも１つを含む、ことを特徴とする請求項１に記載の映像表示装置。
【請求項１２】
映像表示装置の動作方法において、
前記映像表示装置の初期設定動作のうち少なくとも１つを遂行するのと同時に、複数の周波数帯域において、対応する地域において利用可能な複数の周波数のうちから信号が存在する１以上の第１有効周波数を特定する第１チャネル検索をバックグラウンド動作として行う段階と、
放送信号の種類およびチャネルタイプのうち少なくとも１つを含むチャネル検索条件を獲得するために、前記初期設定動作のうち、チャネル検索条件設定動作を遂行する段階と、
前記チャネル検索条件設定動作を介して獲得された前記チャネル検索条件に応答して、前記第１チャネル検索を介して特定された前記１以上の第１有効周波数のうちから、それぞれが前記獲得された前記チャネル検索条件を満たす第２有効周波数に対応している、少なくとも１つの有効チャネルを特定する第２チャネル検索を行う段階と、
前記第２チャネル検索の結果を、ディスプレイ部に表示する段階と、
を含む、映像表示装置の動作方法。
【請求項１３】
前記第１チャネル検索を、バックグラウンド動作として行う段階は、
前記映像表示装置に設定された地域情報に対応する複数の有効のうちから、前記信号が存在する前記１以上の第１有効周波数を特定する段階を含む、ことを特徴とする請求項１２に記載の映像表示装置の動作方法。
【請求項１４】
前記第１チャネル検索を、バックグラウンド動作として行う段階は、
ケーブルデジタル放送に対応する周波数について、ＲＳＳＩを、前記信号の有無を判断する基準値として利用して、前記信号が存在する前記１以上の第１有効周波数を特定する段階を含む、ことを特徴とする請求項１３に記載の映像表示装置の動作方法。
【請求項１５】
請求項１２に記載の方法をコンピュータで実行させるためのプログラムを記録したコンピュータで読み取り可能な記録媒体。
【発明の詳細な説明】
【技術分野】
【０００１】
本発明は、映像表示装置及びその動作方法に係り、さらに詳細には、チャネル検索を、バックグラウンド動作として行う映像表示装置及びその動作方法に関する。
【背景技術】
【０００２】
映像表示装置は、ユーザが視聴することができる映像を表示する機能を備えた装置である。ユーザは、該映像表示装置を介して放送を視聴することができる。該映像表示装置は、放送局から送出される放送信号のうちユーザが選択した放送をディスプレイに表示する。
【０００３】
また、放送機能に加え、多様なコンテンツを提供するスマートテレビ（ｓｍａｒｔ  ＴＶ）が提供されている。該スマートテレビは、ユーザの選択によって手動的に動作するのではなく、ユーザの操作なしにも、ユーザ所望のところを分析して提供することを目標とする。
【発明の概要】
【発明が解決しようとする課題】
【０００４】
一方、映像表示装置は、初期設定時、チャネル検索を行う。該チャネル検索は、既設定の周波数において、映像表示装置で受信可能なチャネルを検索して提供することを意味する。該チャネル検索時、ユーザは、チャネル検索が終わるまで、チャネル検索画面で待機しなければならないという問題点がある。
【課題を解決するための手段】
【０００５】
多様な実施形態は、映像表示装置の初期設定動作を遂行すると共に、信号が存在する有効周波数を抽出する第１チャネル検索と、有効周波数において、受信可能な有効チャネルを検索する第２チャネル検索と、をバックグラウンドで行うことができる映像表示装置及びその動作方法を提供することができる。
【発明の効果】
【０００６】
一実施形態による映像表示装置は、第１チャネル検索及び第２チャネル検索を初期設定動作の遂行と同時に、並列的に進めることにより、初期設定動作完了に必要となる時間を短縮させることができ、チャネル検索が完了するまで、チャネル検索画面で待機せず、他の初期設定動作を遂行することができる。
【０００７】
一実施形態による映像表示装置は、チャネル検索条件設定以前に、有効周波数を抽出することにより、設定されたチャネル検索条件に適する実際チャネル検索を行うとき、抽出された有効周波数だけ検索することにより、チャネル検索時間を短縮させることができる。
【図面の簡単な説明】
【０００８】
本開示書の実施形態の前述のところ、そして他の側面、特徴、長所は、添付図面と共に、以下の説明からさらに明確になるであろう。
【図１】一実施形態による映像表示装置を示す図面である。
【図２】一実施形態による映像表示装置の構成を示すブロック図である。
【図３】他の実施形態による映像表示装置の構成を示すブロック図である。
【図４】一実施形態による映像表示装置の動作方法を示すフローチャートである。
【図５】一実施形態による第１チャネル検索方法を示すフローチャートである。
【図６】一実施形態による映像表示装置の動作方法を示すフローチャートである。
【図７】一実施形態による映像表示装置のチャネル検索方法について説明するために参照される図面である。
【図８】一実施形態による映像表示装置のチャネル検索方法について説明するために参照される図面である。
【図９】一実施形態による映像表示装置のチャネル検索方法について説明するために参照される図面である。
【図１０】一実施形態による映像表示装置のチャネル検索方法について説明するために参照される図面である。
【図１１】一実施形態による映像表示装置のチャネル検索方法について説明するために参照される図面である。
【発明を実施するための形態】
【０００９】
さらなる特徴が、明細書において説明されることになる。
【００１０】
一実施形態による映像表示装置は、ディスプレイ部、１以上のインストラクションを保存するメモリ、及び前記メモリに保存された前記１以上のインストラクションを実行するプロセッサを含み、前記プロセッサは、前記１以上のインストラクションを実行することにより、前記映像表示装置の初期設定動作のうち、チャネル検索動作以前に遂行される第１動作を遂行すると共に、信号が存在する少なくとも１つのチャネルを検索する第１チャネル検索をバックグラウンド（ｂａｃｋｇｒｏｕｎｄ）動作で行い、前記チャネル検索動作において、チャネル検索条件が設定されれば、前記初期設定動作のうち、前記チャネル検索動作以後に遂行される第２動作を遂行すると共に、前記設定されたチャネル検索条件に基づき、前記信号が存在するチャネルのうち、前記映像表示装置で受信可能な少なくとも１つのチャネルを検索する第２チャネル検索をバックグラウンド動作として行い、前記第２チャネル検索に係わる結果を、前記ディスプレイ部に表示することができる。
【００１１】
一実施形態による映像表示装置の動作方法は、前記映像表示装置の初期設定動作のうち、チャネル検索動作以前に遂行される第１動作を遂行すると共に、信号が存在する少なくとも１つのチャネルを検索する第１チャネル検索をバックグラウンド動作として行う段階、前記チャネル検索動作において、チャネル検索条件が設定されれば、前記初期設定動作のうち、前記チャネル検索設定動作以後に遂行される第２動作を遂行すると共に、前記設定されたチャネル検索条件に基づき、前記信号が存在するチャネルのうち、前記映像表示装置で受信可能な少なくとも１つのチャネルを検索する第２チャネル検索を、バックグラウンド動作として行う段階、及び前記第２チャネル検索に係わる結果を表示する段階を含んでもよい。
【００１２】
本明細書で使用される用語について簡略に説明し、本発明について具体的に説明する。
【００１３】
本発明で使用される用語は、本発明での機能を考慮しながら、可能な限り、現在汎用される一般的な用語を選択したが、それは、当分野の当業者の意図、判例、または新たな技術の出現などによっても異なる。また、特定の場合は、出願人が任意に選定した用語もあり、その場合、当該発明の説明部分において、詳細にその意味を記載する。従って、本発明で使用される用語は、単純な用語の名称ではない、その用語が有する意味と、本発明の全般にわたる内容とを基に定義されなければならない。
【００１４】
明細書全体において、ある部分がある構成要素を「含む」とするとき、それは、特別に反対となる記載がない限り、他の構成要素を除くものではなく、他の構成要素をさらに含んでもよいということを意味する。また、明細書に記載された「…」、「モジュール」というような用語は、少なくとも１つの機能や動作を処理する単位を意味し、それは、ハードウェアまたはソフトウェアによって具現されるか、あるいはハードウェアとソフトウェアとの結合によっても具現される。
【００１５】
以下では、添付した図面を参照し、実施形態について、本発明が属する技術分野で当業者が容易に実施することができるように詳細に説明する。しかし、本発明は、さまざまに異なる形態にも具現され、ここで説明する実施形態に限定されるものではない。そして、図面において、本発明について明確に説明するために、説明と関係ない部分は、省略し、明細書全体を通じて、類似した部分については、類似した図面符号を付した。
【００１６】
図１は、一実施形態による映像表示装置１００を示す図面である。
【００１７】
図１に図示されているように、映像表示装置１００は、ＴＶ（ｔｅｌｅｖｉｓｉｏｎ）でもあるが、それは、一実施形態に過ぎず、放送信号を受信し、放送信号に基づいて映像を表示することができる電子装置によっても具現される。例えば、映像表示装置１００は、携帯電話、タブレットＰＣ（ｐｅｒｓｏｎａｌ  ｃｏｍｐｕｔｅｒ）、デジタルカメラ、カムコーダ、ノート型パソコン（ｌａｐｔｏｐ  ｃｏｍｐｕｔｅｒ）、タブレットＰＣ、デスクトップ、電子書籍端末機、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、ＭＰ３プレイヤ、着用型機器（ｗｅａｒａｂｌｅ  ｄｅｖｉｃｅ）のような多様な電子装置によっても具現される。特に、一実施形態は、ＴＶのように、ディスプレイが大型であるディスプレイ装置によっても容易に具現されるが、それに限定されるのではない。
【００１８】
また、映像表示装置１００は、固定型または移動型でもあり、デジタル放送受信が可能なデジタル放送受信機でもある。また、映像表示装置１００は、平面（ｆｌａｔ）ディスプレイ装置だけではなく、曲率を有する画面である曲面（ｃｕｒｖｅｄ）ディスプレイ装置、または曲率が調整可能な可変型（ｆｌｅｘｉｂｌｅ）ディスプレイ装置によっても具現される。映像表示装置１００の出力解像度は、例えば、ＨＤ（ｈｉｇｈ  ｄｅｆｉｎｉｔｉｏｎ）、ｆｕｌｌ  ＨＤ、ｕｌｔｒａ  ＨＤまたはｕｌｔｒａ  ＨＤよりさらに鮮かな解像度を含んでもよい。
【００１９】
一方、本明細書の実施形態において、「ユーザ」という用語は、制御装置を利用し、映像表示装置１００の機能または動作を制御する者を意味し、視聴者、管理者または設置技士を含んでもよい。
【００２０】
一実施形態による映像表示装置１００には、地域情報が設定され、該地域情報は、事前に設定されるか、あるいはユーザ入力に基づいて、設定されたり変更されたりする。
【００２１】
また、映像表示装置１００は、地域情報に基づき、当該地域で使用可能な周波数２０のうち、実際に信号が存在する周波数３０（例えば、有効周波数）を抽出する第１チャネル検索を行うことができる。一実施形態による周波数のそれぞれは、一定帯域幅を有する周波数帯域で示され、対応するチャネル番号を有することができる。図１の周波数リスト２０に含まれたそれぞれの四角形領域それぞれは、当該地域において使用可能な周波数またはチャネルを示す。また、図１の周波数リスト３０において、陰影処理された領域は、有効周波数を示す。
【００２２】
また、映像表示装置１００は、抽出された有効周波数を検索し、映像表示装置で受信可能なチャネル５０（有効チャネル）を検索する第２チャネル検索を行うことができる。該有効チャネルは、当該チャネルに係わる放送データを受信することができるチャネルを意味する。図１の周波数リスト５０において、陰影処理された領域は、有効チャネルに対応する周波数を示す。
【００２３】
映像表示装置１００は、検索された有効チャネルを含むチャネルマップを生成し、生成されたチャネルマップを保存することができる。
【００２４】
一方、一実施形態による映像表示装置１００は、映像表示装置１００を最初に動作させるとき、初期設定動作を遂行することができる。該初期設定動作を遂行する過程は、ＯＯＢＥ（Ｏｕｔ  Ｏｆ  Ｂｏｘ  Ｅｘｐｅｒｉｅｎｃｅ）、プラグ＆プレイ（ｐｌｕｇ  ＆  ｐｌａｙ）、セットアップ（ｓｅｔ−ｕｐ）などとも命名される。ただし、それらに限定されるものではない。
【００２５】
また、該初期設定動作は、言語設定動作、地域情報設定動作、チャネル検索動作、ネットワーク設定動作のうち少なくとも一つを含んでもよいが、それらに限定されるものではなく、該初期設定動作は、既設定の順序によっても遂行される。
【００２６】
一実施形態による映像表示装置１００は、初期設定動作のうち、チャネル検索動作以前に遂行される第１動作を遂行すると共に、第１チャネル検索を、バックグラウンド動作として行うことができる。また、該初期設定動作のうち、チャネル検索動作以後に遂行される第２動作を遂行すると共に、第２チャネル検索を、バックグラウンド動作として行うことができる。
【００２７】
また、映像表示装置１００は、初期設定動作が完了すれば、第２チャネル検索に係わる結果を表示することができる。例えば、映像表示装置１００は、検索された有効チャネルを示す画面をディスプレイ部に表示することができる。
【００２８】
それにより、一実施形態による映像表示装置１００は、第１チャネル検索及び第２チャネル検索を初期設定動作の遂行と同時に、並列的に進めることにより、該初期設定動作完了に必要となる時間を短縮させながら、チャネル検索が完了するまで、チャネル検索画面で待機せず、他の初期設定動作を遂行することができる。
【００２９】
図２は、一実施形態による映像表示装置の構成を示すブロック図である。
【００３０】
図２を参照すれば、一実施形態による映像表示装置１００は、チューナ部１１０、プロセッサ１２０、メモリ１３０及びディスプレイ部１４０を含んでもよい。
【００３１】
チューナ部１１０は、有線または無線で受信される放送信号を、増幅（ａｍｐｌｉｆｉｃａｔｉｏｎ）、混合（ｍｉｘｉｎｇ）、共振（ｒｅｓｏｎａｎｃｅ）などを介して、多くの電波成分のうち、映像表示装置１００で受信しようとするチャネル周波数のみをチューニングさせて選択することができる。放送信号は、オーディオ（ａｕｄｉｏ）、ビデオ（ｖｉｄｅｏ）及び付加情報（例えば、ＥＰＧ（ｅｌｅｃｔｒｏｎｉｃ  ｐｒｏｇｒａｍ  ｇｕｉｄｅ））を含む。
【００３２】
チューナ部１１０は、地上波放送、ケーブル放送、衛星放送、インターネット放送のように、多様なソースから放送信号を受信することができる。チューナ部１４０は、アナログ放送またはデジタル放送のようなソースから、放送信号を受信することもできる。
【００３３】
一実施形態によるプロセッサ１２０は、メモリ１３０に保存される１以上のプログラムを実行することができる。プロセッサ１２０は、シングルコア、デュアルコア、トリプルコア、クアッドコア、及びその倍数のコアを含んでもよい。また、プロセッサ１２０は、複数のプロセッサを含んでもよい。例えば、プロセッサ１２０は、メインプロセッサ（ｍａｉｎ  ｐｒｏｃｅｓｓｏｒ；図示せず）及びスリープモード（ｓｌｅｅｐ  ｍｏｄｅ）で動作するサブプロセッサ（ｓｕｂ  ｐｒｏｃｅｓｓｏｒ；図示せず）によっても具現される。
【００３４】
一実施形態によるメモリ１３０は、映像表示装置１００を駆動して制御するための多様なデータ、プログラムまたはアプリケーションを保存することができる。メモリ１３０に保存されるプログラムは、１以上のインストラクションを含んでもよい。メモリ１３０に保存されたプログラム（１以上のインストラクション）またはアプリケーションは、プロセッサ１２０によっても実行される。
【００３５】
一実施形態によるプロセッサ１２０は、チューナ部１１０を制御し、周波数チューニングを行うことにより、映像表示装置が位置する地域に対応する周波数（例えば、映像表示装置が位置する地域で使用可能な周波数）において、信号が存在する有効周波数を抽出する第１チャネル検索を行うことができる。
【００３６】
また、一実施形態によるプロセッサ１２０は、デジタルケーブル放送信号の場合、ＲＳＳＩ（ｒｅｃｅｉｖｅｄ  ｓｉｇｎａｌ  ｓｔｒｅｎｇｔｈ  ｉｎｄｉｃａｔｉｏｎ）を基準値として利用し、信号が存在する有効周波数を抽出することができる。例えば、プロセッサ１２０は、デジタルケーブル放送に対応する周波数の受信電波信号の強度（ＲＳＳＩ）が、既設定の臨界値より高ければ、当該放送信号に対応する周波数を有効周波数として抽出することができる。このとき、周波数または放送事業者ごとに、ＲＳＳＩの臨界値が異なりもするが、それに限定されるものではない。
【００３７】
一方、映像表示装置１００は、信号の有無を判断しようとする周波数が、デジタルケーブル放送に対応する周波数ではない場合、周波数チューニングで、当該周波数に対応する信号の有無を判断することができる。例えば、該周波数が、アナログケーブル放送、デジタル地上波放送及びアナログ地上波放送のうちいずれか一つに対応する周波数である場合、チューナ部１１０において、特定変調方式で周波数をチューニングて、信号の有無を判断することができる。
【００３８】
該周波数チューニングを利用し、信号存在の有無を判断する場合、信号の強度だけではなく、変調方式まで考慮するので、ＲＳＳＩを利用し、信号存在の有無を判断する場合より、当該周波数に対する信号を正確に検出することができるが、速度がさらに遅い。
【００３９】
また、地上波放送の場合、空中に存在する電波を、信号の強度のみを利用し、信号存在の有無を判断するには、ノイズ（ｎｏｉｓｅ）、干渉、回折などによる誤差が大きいので、ＲＳＳＩを利用するよりは、周波数チューニングを利用し、信号存在の有無を判断することが適するのである。また、アナログケーブル放送の場合、周波数チューニングを利用する場合、及びＲＳＳＩを利用する場合、速度差が大きくないので、正確度が高い周波数チューニングを利用することがさらに適すると言える。ただし、それに限定されるものではない。
【００４０】
また、プロセッサ１２０は、有効周波数において、受信可能なチャネル（例えば、有効な放送信号を受信することができるチャネル）に対応する周波数を検索する第２チャネル検索を行うことができる。
【００４１】
プロセッサ１２０は、第１チャネル検索及び第２チャネル検索を、映像表示装置１００の初期設定動作と同時に、バックグラウンド動作として行うことができる。例えば、プロセッサ１２０は、初期設定動作のうち、チャネル検索動作以前に遂行される第１動作と第１チャネル検索とを同時に遂行し、初期設定動作のうち、チャネル検索動作以後に遂行される第２動作と第２チャネル検索とを同時に遂行することができる。
【００４２】
ディスプレイ部１４０は、プロセッサ１２０で処理された映像信号、データ信号、ＯＳＤ信号、制御信号などを変換して駆動信号を生成する。ディスプレイ部１４０は、ＰＤＰ（ｐｌａｓｍａ  ｄｉｓｐｌａｙ  ｐａｎｅｌ）、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）、フレキシブルディスプレイ（ｆｌｅｘｉｂｌｅ  ｄｉｓｐｌａｙ）などによっても具現され、また、三次元ディスプレイ（３Ｄ  ｄｉｓｐｌａｙ）によっても具現される。また、ディスプレイ部１４０は、タッチスクリーンによって構成され、出力装置以外に入力装置としても使用される。
【００４３】
一実施形態によるディスプレイ部１４０は、第２チャネル検索の進行状態，または第２チャネル検索結果を表示することができる。例えば、ディスプレイ部１４０は、初期設定動作がいずれも完了したが、第２チャネル検索が完了していない場合、第２チャネル検索の進行状態を示す画面を表示することができる。また、ディスプレイ部１４０は、初期設定動作及び第２チャネル検索がいずれも完了した場合、第２チャネル検索結果を表示することができる。
【００４４】
図３は、他の実施形態による映像表示装置の構成を示すブロック図である。図３の映像表示装置２００は、図１の映像表示装置１００の一実施形態でもある。
【００４５】
図３を参照すれば、一実施形態による映像表示装置２００は、チューナ部２１０、制御部２２０、ディスプレイ部２３０、保存部２４０、通信部２５０、感知部２６０及びビデオ処理部２７０を含んでもよい。
【００４６】
図２のチューナ部１１０は、図３のチューナ部２１０に、図２のプロセッサ１２０は、図３の制御部２２０に、図２のメモリ１３０は、図３の保存部２４０に、図２のディスプレイ部１４０は、図３のディスプレイ部２３０にそれぞれ対応する。図２で説明した内容と同一内容は、図３で省略する。
【００４７】
チューナ部２１０は、ユーザ入力（例えば、制御装置から受信される制御信号、例えば、チャネル番号入力、チャネルのアップ／ダウン（ｕｐ／ｄｏｗｎ）入力及びＥＰＧ画面でｎｏチャネル入力）により、チャネル番号に対応する周波数帯域で放送信号を受信することができる。
【００４８】
通信部２５０は、多様な通信回路を含み、制御部２２０の制御により、外部装置またはサーバとデータまたは信号を送受信することができる。制御部２２０は、多様な処理回路を含み、通信部２５０を介して連結された外部装置に／からコンテンツを送／受信したり、外部装置からアプリケーション（ａｐｐｌｉｃａｔｉｏｎ）をダウンロードしたり、ウェブブラウジングをしたりすることができる。通信部２５０は、映像表示装置２００の性能及び構造に対応し、無線ＬＡＮ（ｌｏｃａｌ  ａｒｅａ  ｎｅｔｗｏｒｋ）（例えば、Ｗｉ−Ｆｉ（ｗｉｒｅｌｅｓｓ  ｆｉｄｅｌｉｔｙ）、ブルートゥース（Ｂｌｕｅｔｏｏｔｈ（登録商標））、有線イーサネット（Ｅｔｈｅｒｎｅｔ（登録商標））、ＩＲ（ｉｎｆｒａｒｅｄ）、ＢＬＥ（Ｂｌｕｅｔｏｏｔｈ  ｌｏｗ  ｅｎｅｒｇｙ）、超音波、ジグビー（Ｚｉｇｂｅｅ）、ＨＤＭＩ（ｈｉｇｈ  ｄｅｆｉｎｉｔｉｏｎ  ｍｕｌｔｉｍｅｄｉａ  ｉｎｔｅｒｆａｃｅ（登録商標））、ＨＤＭＩ−ＣＥＣ（ｃｏｎｓｕｍｅｒ  ｅｌｅｃｔｒｏｎｉｃｓ  ｃｏｎｔｒｏｌ）のうち少なくとも１つの方式で、データまたは信号を送受信することができる。
【００４９】
ビデオ処理部２７０は、多様なビデオ処理回路を含み、ディスプレイ装置２００が受信したビデオデータに対する処理を行う。ビデオ処理部２７０においては、ビデオデータに対するデコーディング、スケーリング、ノイズフィルタリング、フレームレート変換、解像度変換のような多様なイメージ処理を行うことができる。
【００５０】
感知部２６０は、外部の制御装置から受信される光信号（制御信号を含む）を、ディスプレイ部２２０のベゼルの光窓（図示せず）などを介して受信することができる。感知部２６０は、制御装置から、ユーザ入力（例えば、タッチ、押し、タッチジェスチャ、音声またはモーション）に対応する光信号を受信することができる。制御部２１０は、受信された光信号から、制御信号を抽出することができる。また、感知部２６０は、ユーザの音声、ユーザの映像、またはユーザのインタラクションを感知する。一実施形態による感知部２６０は、ユーザの発話された音声を受信するマイクを含んでもよい。該マイクは、受信された音声を電気信号に変換し、制御部２２０に出力することができる。
【００５１】
また、一実施形態による感知部２６０は、ユーザ入力を感知し、感知された信号を制御部２２０に伝達することができる。感知部２６０は、制御装置から、チャネル・アップ／ダウン、電源オン／オフ、チャネル選択、画面設定などのユーザ入力を感知することができる。
【００５２】
保存部２４０は、制御部２２０の制御により、映像表示装置２００を駆動して制御するための多様なデータ、プログラムまたはアプリケーションを保存することができる。保存部２４０は、図示されていない放送受信モジュール、チャネル制御モジュール、ボリューム制御モジュール、通信制御モジュール、音声認識モジュール、モーション認識モジュール、光受信モジュール、ディスプレイ制御モジュール、オーディオ制御モジュール、外部入力制御モジュール、電源制御モジュール、無線（例えば、ブルートゥース）に連結される外部装置の電源制御モジュール、音声データベース（ＤＢ）またはモーションデータベース（ＤＢ）を含んでもよい。保存部２４０の図示されていないモジュール及びデータベースは、映像表示装置２００において、放送受信の制御機能、チャネル制御機能、ボリューム制御機能、通信制御機能、音声認識機能、モーション認識機能、光受信制御機能、ディスプレイ制御機能、オーディオ制御機能、外部入力制御機能、電源制御機能または無線（例えば、ブルートゥース）に連結される外部装置の電源制御機能を遂行するために、ソフトウェア形態によっても具現される。制御部２２０は、保存部２４０に保存されたそれらソフトウェアを利用し、それぞれの機能を遂行することができる。
【００５３】
一方、図２及び図３に図示された映像表示装置１００，２００のブロック図は、一実施形態のためのブロック図である。該ブロック図の各構成要素は、実際具現される電子装置１００，２００の仕様により、統合、追加または省略されてもよい。すなわち、必要により、２以上の構成要素が、１つの構成要素に合わされるか、あるいは１つの構成要素が、２以上の構成要素に細分されても構成される。また、各ブロックで遂行する機能は、実施形態についての説明のためのものであり、その具体的な動作や装置は、本発明の権利範囲を制限するものではない。
【００５４】
図４は、一実施形態による映像表示装置の動作方法を示すフローチャートである。
【００５５】
図４を参照すれば、一実施形態による映像表示装置１００は、映像表示装置１００を最初に動作させるとき、映像表示装置１００の初期設定に必要な動作を遂行することができる。該初期設定動作は、言語設定動作、地域情報設定動作、チャネル検索動作、ネットワーク設定動作のうち少なくとも一つを含み、該初期設定動作は、既設定の順序によっても遂行される。
【００５６】
一実施形態による映像表示装置１００は、初期設定が始まれば、既設定の順序により、初期設定動作を遂行することができる。映像表示装置１００は、該初期設定動作のうち、チャネル検索動作以前に遂行される第１動作を遂行しながら（Ｓ４１０）、並列的に、有効周波数を抽出する第１チャネル検索を、バックグラウンド動作として行うことができる（Ｓ４２０）。例えば、映像表示装置１００は、映像表示装置に設定された地域情報に基づき、当該地域で使用可能な周波数に係わる信号の有無を判断し、実際に信号が存在する周波数（有効周波数）を抽出することができる。
【００５７】
一実施形態による映像表示装置１００は、該初期設定動作のうち、チャネル検索動作が始まれば、当該地域で使用可能な周波数全体について、第１チャネル検索が完了していない場合にも、第１チャネル検索を終了させることができる。例えば、該チャネル検索動作が始まった時点において、ケーブル放送信号及び地上波放送信号のうちケーブル放送信号についてのみ、第１チャネル検索が行われた場合、映像表示装置１００は、地上波放送信号に対する第１チャネル検索を行わず、第１チャネル検索を終了させることができる。
【００５８】
一実施形態による映像表示装置１００は、チャネル検索動作が遂行されれば、チャネル検索条件を設定することができる（Ｓ４３０）。このとき、該チャネル検索条件は、既設定であるか、あるいはユーザ入力に基づいても設定される。
【００５９】
映像表示装置１００は、チャネル検索条件が設定されれば、初期設定動作のうち、チャネル検索動作以後に遂行される第２動作を遂行しながら（Ｓ４４０）、並列的に、設定されたチャネル検索条件に基づき、有効チャネルを検索する第２チャネル検索を、バックグラウンド動作として行うことができる（Ｓ４５０）。例えば、映像表示装置１００は、第１チャネル検索において、有効周波数と抽出された周波数において、設定されたチャネル検索条件に符合する周波数が映像表示装置で受信可能な有効な放送信号を含んでいるか否かということを判断することができる。例えば、映像表示装置１００は、チャネル検索動作において、ケーブル放送に対するチャネル検索を行うように設定される場合、第１チャネル検索で抽出された有効周波数において、ケーブル放送に対応する周波数が映像表示装置で受信可能な有効な放送信号を含んでいるか否かということを判断することができる。
【００６０】
映像表示装置１００は、有効な放送信号を含んでいる周波数に対応するチャネルを有効チャネルとして決定することができる。
【００６１】
また、映像表示装置１００は、第１チャネル検索で検索されていない周波数において、設定されたチャネル検索条件に符合する周波数についても、映像表示装置で受信可能なチャネルであるか否かということを判断することができる。例えば、第１チャネル検索段階（Ｓ４２０）において、地上波放送信号に対して第１チャネル検索が遂行されないまま、第１チャネル検索が終わり、チャネル検索条件設定段階（Ｓ４３０）で、地上波放送信号についても、チャネル検索を行うように設定される場合、映像表示装置１００は、地上波放送に対応する周波数が、映像表示装置で受信可能な有効な放送信号を含んでいるか否かということを判断することができる。
【００６２】
一方、一実施形態による映像表示装置１００は、第１チャネル検索及び第２チャネル検索を、ケーブル放送信号、地上波放送信号の順序で行うことができるが、それらに限定されるものではない。
【００６３】
一実施形態による映像表示装置１００は、初期設定動作及び第２チャネル検索（Ｓ４６０）が完了すれば、第２チャネル検索結果を表示することができる（Ｓ４８０）。例えば、映像表示装置１００は、チャネル検索が完了したというメッセージ、検索されたチャネル個数に対するリストなどを表示することができる。
【００６４】
一方、初期設定動作が完了した後、第２チャネル検索が完了していない場合、映像表示装置１００は、第２チャネル検索の進行状態を示す画面を表示することができる（Ｓ４７０）。例えば、映像表示装置１００は、チャネル検索中というメッセージ、チャネル検索進行程度を示すグラフ、及び現在検索されたチャネル個数に対するリストなどを表示することができる。また、該チャネル検索を中止させることができる中止ボタンを共に表示することができる。また、映像表示装置１００は、第２チャネル検索が完了すれば、第２チャネル検索結果を表示することができる。
【００６５】
また、映像表示装置１００は、検索された有効チャネルを含むチャネルマップを生成し、保存することができる。
【００６６】
図５は、一実施形態による第１チャネル検索方法を示すフローチャートである。
【００６７】
図５を参照すれば、一実施形態による映像表示装置１００は、映像表示装置に設定された地域情報に基づき、当該地域で使用可能な周波数に対する信号の有無を判断し、実際に信号が存在する周波数（有効周波数）を抽出する第１チャネル検索を行うことができる。
【００６８】
一実施形態による映像表示装置１００は、信号の有無を判断する周波数がデジタルケーブル放送に対応する周波数であるか否かということを確認し（Ｓ５１０）、デジタルケーブル放送に対応する周波数である場合、ＲＳＳＩを基準値として利用し、当該周波数に対応する信号の有無を判断することができる（Ｓ５２０）。例えば、周波数の受信電波信号の強度（ＲＳＳＩ）が、既設定の臨界値より大きい場合、実際に信号が存在すると判断することができる。
【００６９】
一方、映像表示装置１００は、信号の有無を判断する周波数が、デジタルケーブル放送に対応する周波数ではない場合、周波数チューニングで、当該周波数に対応する信号の有無を判断することができる（Ｓ５３０）。例えば、該周波数が、アナログケーブル放送、デジタル地上波放送及びアナログ地上波放送のうちいずれか一つに対応する周波数である場合、チューナ部において、特定変調方式で周波数をチューニングし、信号の強度を検出し、信号の強度により、信号の有無を判断することができる。
【００７０】
映像表示装置１００は、信号が存在する周波数を有効周波数として抽出し（Ｓ５４０）、抽出された有効周波数帯域を保存することができる（Ｓ５５０）。
【００７１】
映像表示装置１００は、チャネル検索動作が始まっていない場合、映像表示装置１００で使用可能な全体周波数のうち、第１チャネル検索が遂行されていない周波数に対して、第１チャネル検索を行うことができる。
【００７２】
一方、映像表示装置１００は、全体周波数に対して、第１チャネル検索が完了するか、あるいは初期設定動作のうち、チャネル検索動作が始まった場合、第１チャネル検索を終了することができる。
【００７３】
例えば、該チャネル検索動作が始まった時点において、ケーブル放送信号及び地上波放送信号のうちケーブル放送信号についてのみ、第１チャネル検索が行われた場合、映像表示装置１００は、地上波放送信号に対する第１チャネル検索を行わず、第１チャネル検索を終了させることができる。
【００７４】
図６は、一実施形態による映像表示装置の動作方法を示すフローチャートである。
【００７５】
図６を参照すれば、一実施形態による映像表示装置１００は、映像表示装置１００を最初に動作させるとき、映像表示装置１００の初期設定に必要な動作を遂行することができる。映像表示装置１００は、初期設定が始まれば、既設定の順序により、初期設定動作を遂行することができる。
【００７６】
一実施形態による映像表示装置１００は、初期設定動作のうち、チャネル検索動作以前の動作を遂行しながら（Ｓ６１０）、並列的に、有効周波数を抽出する第１チャネル検索を、バックグラウンド動作として行うことができる（Ｓ６２０）。
【００７７】
一実施形態によれば、映像表示装置１００が第１チャネル検索を行っている最中、映像表示装置１００に設定された地域情報が変更されてもよい（Ｓ６３０）。例えば、初期設定動作のうち地域情報設定動作において、ローカル（ｌｏｃａｌ）情報、国家情報などが変更されてもよいが、それらに限定されるものではない。映像表示装置１００の地域情報が変更されれば、変更された地域情報により、映像表示装置１００で使用可能な周波数情報が異なりもする。
【００７８】
映像表示装置１００の地域情報が変更されれば、映像表示装置１００は、第１チャネル検索を中止することができる（Ｓ６４０）。映像表示装置１００は、変更された地域と、変更される以前の地域との放送標準情報及び周波数情報に基づき、第１チャネル検索が中止される前に抽出された有効周波数を保存するか否かということを決定することができる（Ｓ６５０）。
【００７９】
映像表示装置１００は、変更された地域と変更される以前地域との放送標準方式と周波数とが一致する範囲内で、抽出された有効周波数を保存することができる（Ｓ６６０）。例えば、映像表示装置１００に設定された地域が、第１地域から第２地域に変更された場合、第１地域及び第２地域の放送標準方式がＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式であり、第１地域を基準に抽出された第１有効周波数が、第２地域に設定された周波数範囲に含まれる場合、映像表示装置１００は、第１有効周波数を保存することができる。一方、該第１地域を基準に抽出された第２有効周波数が、第２地域に設定された周波数範囲には含まれない場合、映像表示装置１００は、第２有効周波数を保存しない。また、映像表示装置１００は、第２地域で使用可能な周波数において、第１チャネル検索が行われていない周波数に対して、第１チャネル検索をさらに行うことができる。
【００８０】
一方、映像表示装置１００は、変更された地域と変更される以前の地域との放送標準方式が一致しない場合、変更された地域情報に基づき、第１チャネル検索を行うことができる（Ｓ６７０）。例えば、第１地域の放送標準方式がＤＶＢ（ｄｉｇｉｔａｌ  ｖｉｄｅｏ  ｂｒｏａｄｃａｓｔｉｎｇ）方式であり、第２地域の放送標準方式がＡＴＳＣ方式である場合、映像表示装置１００は、第１地域を基準に抽出された有効周波数は、保存せず、第２地域を基準に、全体周波数帯域内において、第１チャネル検索をさらに行うことができる。
【００８１】
図７ないし図１１は、一実施形態による映像表示装置のチャネル検索方法について説明するために参照される図面である。
【００８２】
一実施形態による映像表示装置１００は、映像表示装置１００を最初に動作させるとき、映像表示装置１００の初期設定に必要な動作を遂行することができる。該初期設定動作は、言語設定動作、地域情報設定動作、チャネル検索動作、ネットワーク設定動作のうち少なくとも一つを含み、該初期設定動作は、既設定の順序によっても遂行される。例えば、一実施形態による映像表示装置１００の初期設定は、７段階を含み、それぞれの段階において、初期設定に必要な動作が遂行される。図７に図示されているように、画面には、初期設定に含まれる段階それぞれを示す数字（例えば、１ないし７）が表示され、現在進められている動作に対応する段階の数字がハイライト表示される。
【００８３】
例えば、映像表示装置１００は、初期設定の１段階において、言語設定動作を遂行することができ、図７に図示されているように、映像表示装置１００は、言語設定画面７１０を表示することができる。ただし、それに限定されるものではない。
【００８４】
映像表示装置１００は、初期設定が始まれば、初期設定動作と並列的に、有効周波数を抽出する第１チャネル検索を、バックグラウンド動作として行うことができる。例えば、映像表示装置１００は、言語設定を遂行すると共に、バックグラウンド動作で、映像表示装置に設定された地域情報に対応する周波数に対する信号の有無を判断し、実際に信号が存在する周波数を有効周波数として抽出することができる。
【００８５】
映像表示装置１００は、初期設定動作のうちチャネル検索動作が始まれば、映像表示装置に設定された周波数全体に対して、第１チャネル検索が完了していない場合にも、第１チャネル検索を終了させることができる。
【００８６】
図８を参照すれば、映像表示装置１００は、チャネル検索動作が遂行されれば、チャネル検索条件設定画面８１０を表示することができる。このとき、該チャネル検索条件は、事前に設定されるか、あるいはユーザ入力に基づいても設定される。例えば、チャネル検索条件設定画面には、放送信号の種類、及びチャネルタイプを設定することができるメニュー項目が表示される。例えば、ケーブル放送、地上波放送、衛星放送のうち少なくとも一つを設定することができるメニュー項目８２０、デジタル放送及びアナログ放送のうち少なくとも一つを設定することができるメニュー項目８３０を含んでもよい。ただし、それらに限定されるものではない。
【００８７】
映像表示装置１００は、設定された条件に基づき、チャネルを検索することができる。例えば、図８に図示されているように、放送信号の種類を、ケーブル放送に、チャネルタイプを、デジタル及びアナログに設定し、検索ボタン８４０を選択するユーザ入力を受信した場合、映像表示装置１００は、デジタルケーブル放送及びアナログケーブル放送に対応する周波数に対し、受信可能なチャネルを検索する第２チャネル検索を行うことができる。また、映像表示装置１００は、第１チャネル検索で抽出された有効周波数範囲内で、第２チャネル検索を行うことができる。また、受信可能なチャネルを検索する動作は、チャネル検索動作以後の初期設定動作の遂行と並列的に、バックグラウンド動作として遂行されることができる。
【００８８】
例えば、図９に図示されているように、チャネル検索条件が設定されれば、チャネル検索動作以後の動作であるネットワーク設定動作が遂行されながら、第２チャネル検索が、バックグラウンド動作としても遂行される。ネットワーク設定動作が遂行される間、映像表示装置１００は、ネットワーク設定画面９１０だけ表示し、第２チャネル検索の進行状態を示す画面は表示しない。
【００８９】
一方、映像表示装置１００は、初期設定動作がいずれも完了したが、第２チャネル検索が完了していない場合、図１０に図示されているように、第２チャネル検索の進行状態を示す画面を表示することができる。
【００９０】
例えば、チャネル検索進行程度を示すグラフ１０２０、及び現在検索されたチャネル個数に係わるリスト１０３０のうち少なくとも一つを表示することができる。また、映像表示装置１００は、チャネル検索を中止させることができる中止ボタン１０４０を共に表示することができる。
【００９１】
一方、第２チャネル検索が完了した場合、映像表示装置１００は、図１１に図示されているように、第２チャネル検索に係わる結果を表示することができる。例えば、映像表示装置１００は、チャネル検索が完了したというメッセージと、検索されたチャネル個数に対するリスト１１１０とを表示することができる。
【００９２】
また、映像表示装置１００は、再検索ボタン１１２０を表示することができる。再検索ボタン１１２０を選択するユーザ入力が感知されれば、映像表示装置１００は、チャネル検索をさらに行うことができる。また、映像表示装置１００は、確認ボタン１１３０を表示することができる。確認ボタン１１３０を選択するユーザ入力が感知されれば、映像表示装置１００は、チャネル検索を終了し、検索されたチャネルを含むチャネルマップを生成することができる。ただし、それに限定されるものではない。
【００９３】
また、映像表示装置１００は、図１１に図示されているように、初期設定動作に係わる設定完了メッセージ１１４０を表示することができ、確認ボタン１１５０を表示することができる。確認ボタン１１５０を選択するユーザ入力が感知されれば、映像表示装置１００は、初期設定を終了させることができる。
【００９４】
一実施形態による映像表示装置の動作方法は、多様なコンピュータ手段を介して遂行されるプログラム命令形態によって具現され、コンピュータ可読媒体にも記録される。前記コンピュータ可読媒体は、プログラム命令、データファイル、データ構造などを単独または組み合わせて含んでもよい。前記媒体に記録されるプログラム命令は、本発明のために特別に設計されて構成されたものであってもよく、コンピュータソフトウェア当業者に公知され、使用可能なものであってもよい。該コンピュータ可読記録媒体の例には、ハードディスク、フロッピィーディスク及び磁気テープのような磁気媒体（ｍａｇｎｅｔｉｃ  ｍｅｄｉａ）；ＣＤ−ＲＯＭ（ｃｏｍｐａｃｔ  ｄｉｓｃ  ｒｅａｄ  ｏｎｌｙ  ｍｅｍｏｒｙ）、ＤＶＤ（ｄｉｇｉｔａｌ  ｖｅｒｓａｔｉｌｅ  ｄｉｓｃ）のような光記録媒体（ｏｐｔｉｃａｌ  ｍｅｄｉａ）；フロプティカルディスク（ｆｌｏｐｔｉｃａｌ  ｄｉｓｋ）のような磁気・光媒体（ｍａｇｎｅｔｏ−ｏｐｔｉｃａｌ  ｍｅｄｉａ）；及びＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリのようなプログラム命令を保存して遂行するように特別に構成されたハードウェア装置が含まれる。該プログラム命令の例には、コンパイラによって作われるような機械語コードだけではなく、インタープリタなどを使用し、コンピュータによっても実行される高級言語コードを含む。
【００９５】
以上、本実施形態について詳細に説明したが、本発明の権利範囲は、それらに限定されるものではなく、特許請求の範囲で定義している本発明の基本概念を利用した当業者の多くの変形、及び改良形態も、本発明の権利範囲に属する。
【図１】
0006859439.tif 000002
【図２】
0006859439.tif 000003
【図３】
0006859439.tif 000004
【図４】
0006859439.tif 000005
【図５】
0006859439.tif 000006
【図６】
0006859439.tif 000007
【図７】
0006859439.tif 000008
【図８】
0006859439.tif 000009
【図９】
0006859439.tif 000010
【図１０】
0006859439.tif 000011
【図１１】
0006859439.tif 000012